(57)【要約】【課題】集塵部上を連続的または間欠的に移動する濾紙集塵面とこの濾紙集塵面に近接して置かれたαβ線検出器面との間の圧力損失を低く保って、吸引流量の低下と集塵および計測済み濾紙からの背景の影響とを回避し、かつ間欠送りの場合に濾紙送りピッチを少なく設定できるダスト放射線モニタを提供すること。【解決手段】ダストを含むガスを集塵開口部に置かれた濾紙３を介して吸引ポンプで吸引することにより前記濾紙の集塵面にダストを捕集する濾紙集塵部２と、前記濾紙の集塵面に近接して配置され、前記濾紙の集塵面に捕集されたダストから放射されるα線およびβ線を計測するαβ線検出器１とを具備したダスト放射線モニタにおいて、前記集塵開口部の各側に、円滑なＲ曲面構造の濾紙入口部および濾紙出口部が設けられたことを特徴とするダスト放射線モニタ。【選択図】  図１
2004191280.tif 000002
【特許請求の範囲】
【請求項１】
ダストを含むガスを集塵開口部に置かれた濾紙を介して吸引ポンプで吸引することにより前記濾紙の集塵面にダストを捕集する濾紙集塵部と、前記濾紙の集塵面に近接して配置され、前記濾紙の集塵面に捕集されたダストから放射されるα線およびβ線を計測するαβ線検出器とを具備したダスト放射線モニタにおいて、
前記集塵開口部の各側に、円滑なＲ曲面構造の濾紙入口部および濾紙出口部が設けられた
ことを特徴とするダスト放射線モニタ。
【請求項２】
請求項１記載のダスト放射線モニタにおいて、
前記濾紙の集塵面の大きさを、前記αβ線検出器の検出面の大きさよりも小さく設定したことを特徴とするダスト放射線モニタ。
【発明の詳細な説明】
【０００１】
【発明の属する技術分野】
本発明は、集塵部上を連続的または間欠的に移動する集塵濾紙面上に近接して置かれたαβ線検出器により、ダストから放射されるα線およびβ線を計測するダスト放射線モニタに係り、とくに検出器面と濾紙集塵面との間の圧力損失を低く保ち、吸引流量の低下と集塵および計測済み濾紙からの背景の影響を回避し、かつ濾紙送りピッチを少なく設定できるダスト放射線モニタに関する。
【０００２】
【従来の技術】
α線およびβ線を同時に測定するダスト放射線モニタにおいて、αβ線検出器は、従来のβ線検出器よりもα線の検出効率を向上させるため、αβ線検出器面積を大きくする必要があり、検出器ケース、集塵部が大型化している。そのため、集塵部が必要以上に大きくなり、濾紙消費量が増大する傾向にある。
【０００３】
また、ダストを捕集する濾紙集塵面と検出器面とは近付ける必要がある。しかし、集塵面と検出器面とが近接し過ぎると、集塵部内のガス流路の隙間が狭くかつ長くなり、検出器面と濾紙集塵面との間の圧力損失が増大し、必要吸引流量が採れなくなるため、距離をあまり近付けることができない。そのため、検出効率を上げることに限界がある。
【０００４】
また、従来の濾紙間欠送りで、濾紙送りピッチ量を少なく設定すると、集塵後の濾紙を移動後も検出器面からの距離が十分に大きくならないため、集塵済み濾紙からの計数も測定してしまい、背景の影響を回避することが困難となり、検出器感度を低下させる虞がある。
【０００５】
【発明が解決しようとする課題】
αβ線検出器は、従来のβ線検出器よりもα線の検出効率を向上させるため、ダストを捕集する濾紙集塵面の面積に対してαβ線検出器の検出面面積を大きくし、かつ濾紙集塵面との検出距離も小さくする必要がある。そのため、検出器を含めた集塵部が必要以上に大きくなり、無駄な濾紙消費を引き起こしている。
【０００６】
また、間欠送りの場合の濾紙消費量を少なくするため、濾紙送りピッチ量を少なく設定すると、集塵後の濾紙を移動後、前記検出器面からの距離が小さいため、集塵済み濾紙からの計数も測定してしまい、背景の影響を回避することが困難である。
【０００７】
更に、集塵面と検出器面が互いに近接し、また集塵部内のガス流路の隙間が狭くかつ長いため、検出器面と濾紙集塵面の圧力損失が増大し、吸引流量の低下を引き起こしている。
【０００８】
本発明は上述の点を考慮してなされたもので、集塵部上を連続的または間欠的に移動する濾紙集塵面とこの濾紙集塵面に近接して置かれたαβ線検出器面との間の圧力損失を低く保って、吸引流量の低下と集塵および計測済み濾紙からの背景の影響とを回避し、かつ間欠送りの場合に濾紙送りピッチを少なく設定できるダスト放射線モニタを提供することを目的とする。
【０００９】
【課題を解決するための手段】
上記目的達成のため、本発明では、請求項１および２記載の放射線ダストモニタを提供するものである。
【００１０】
まず請求項１記載の発明によれば、ダストを含むガスを集塵開口部に置かれた濾紙を介して吸引ポンプで吸引することにより前記濾紙の集塵面にダストを捕集する濾紙集塵部と、前記濾紙の集塵面に近接して配置され、前記濾紙の集塵面に捕集されたダストから放射されるα線およびβ線を計測するαβ線検出器とを具備したダスト放射線モニタにおいて、前記集塵開口部の各側に、円滑なＲ曲面構造の濾紙入口部および濾紙出口部が設けられたことを特徴とするダスト放射線モニタ、を提供するものである。
【００１１】
これにより、集塵面と検出器面とが互いに近接していても、Ｒ曲面がガス流路の隙間を確保でき、検出器面と濾紙集塵面との間の圧力損失を低く保つことができ、吸引流量の低下を回避する。
【００１２】
また、請求項２記載の発明によれば、請求項１記載のダスト放射線モニタにおいて、前記濾紙の集塵面の大きさを、前記αβ線検出器の検出面の大きさよりも小さく設定したことを特徴とするダスト放射線モニタ、を提供するものである。
【００１３】
これにより、検出効率を向上させることができる。
【００１４】
【発明の実施の形態】
（構成）
図１は、本発明の概略構成を示す図である。図１に示すように、図の中央部にαβ線検出器１が配され、このαβ線検出器１は、破線で囲んで示されたＡ部内にある集塵部２において、長尺濾紙３上に集められたダストの放射線を検出する。長尺濾紙３は、濾紙送りスプール４から送り出され、濾紙巻取りスプール５に巻き取られる。
【００１５】
濾紙送りスプール４から濾紙巻取りスプール５に向けて送り出された濾紙３は、αβ線検出器１の検出部に送られ、吸引配管６の先端の吸引作用により流入配管７からの流入空気中に含まれるダストが吸着され、集塵される。そして、この集塵されたダストにつき、αβ線検出器１が検出する。
【００１６】
これらの各要素は、気密容器８の中に収容されている。そして、気密容器８の中には、濾紙送りローラ９および濾紙巻取りローラ１０が設けられており、２つのスプール４，５間での濾紙の給送を行う。また、気密容器８には、検出器ケース１１が設けられており、αβ線検出器１が収容されている。
【００１７】
図２は、図１における集塵部２の構造を示している。集塵部２における濾紙が通る濾紙入口部には、集塵開口面１５の手前に円滑なＲ曲面構造部１６を設け、濾紙を集塵開口面１５に円滑に案内する。これに対応して、図２に破線で囲んだＢ部に示すように、濾紙出口部にも円滑なＲ曲面構造部１７を設け、濾紙が集塵開口面１５を通過した後、集塵面が直ちに遠ざかる構造となっている。
【００１８】
この図２には、αβ線検出器１を収容する検出器ケース１１の各部構造が示されている。検出器ケース１１は、図における上下方向に分離可能な２部分からなる構成となっており、各部分はシール部材１２により封止されている。そして、αβ線検出器１は、支持材１３により検出器ケース１１に支持されている。
【００１９】
検出器ケース１１の図示上面には、濾紙集塵面１５の周辺に検出器側流路１４が形成されており、濾紙集塵面１５を挟んで濾紙入り口のＲ曲面構造部１６および濾紙出口のＲ曲面構造部１７が配されており、濾紙集塵面１５に対向して検出面１８が設けられている。
【００２０】
このように、集塵後の濾紙を移動後、検出器面から直ちに遠ざけるようにしたため、遮蔽材を実装できるスペースを確保でき、集塵および計測済み濾紙からの背景の影響を回避し、かつ濾紙送りピッチを少なく設定することができる。
【００２１】
ここで、濾紙集塵面１５とαβ線検出器の検出器面１８との間の距離は、α線を検出するため、２ｍｍ程度の近接した状態になっている。ただし、濾紙入口部および濾紙出口部では、濾紙は、円滑なＲ曲面構造部１６，１７に倣いながら集塵部２上を滑って移動する。
【００２２】
なお、αβ線検出器１は、検出器ケース１１と絶縁材でもある検出器支持材１３とによって固定され、交換時には、検出器ケース１１をシール部材１２の部位で容易に脱着できる。
【００２３】
図３は、図２における検出器面および集塵面における遮蔽材の取り付けの様子を示している。
【００２４】
集塵部２の出口側のＲ曲面構造部１７と検出器面１８の空隙に、捕集済み濾紙からの放射線を遮蔽するための遮蔽材１９を設置することができる。
【００２５】
（作用）
本発明の作用を、図１および図２により説明する。αβ線検出器１は、検出器ケース１１を含め、気密容器８の中に全て実装されている。気密容器８内では、流入配管７から入ってくるガスが全て集塵部２上の濾紙を通過し、吸引配管６より出て、図示されていない吸引ポンプへ運ばれるようになっている。
【００２６】
濾紙送りスプール４からの長尺濾紙３は、濾紙送りローラ９を経て、集塵部２上を通り、濾紙巻取りローラ１０で引っ張り込まれて、濾紙巻取りスプール５で連続的または間欠的に巻き取られる。
【００２７】
集塵部２を濾紙が通る際、濾紙入口部の集塵開口面１５の手前に設けられた円滑なＲ曲面構造部１６により滑らかに案内され、濾紙出口部でも濾紙が集塵開口面１５を通過後、円滑なＲ曲面構造部１７を通って、濾紙のダスト集塵面１５が直ちに遠ざかっていく構造となっている。
【００２８】
このため、集塵面１５と検出器面１８が互いに近接していても、Ｒ曲面構造部１６，１７がガス流路の隙間を確保でき、濾紙の集塵面１５と検出器面１８との間の圧力損失を低く保つことができ、吸引流量の低下を回避できる構造となっている。
【００２９】
また、集塵後のαβ線検出器１の検出器面１８と比較して、濾紙集塵面積１５を小さく設定することにより検出効率を向上させ、集塵部出口側を円滑なR曲面構造部１７にして遮蔽材１９を設置できるスペースを確保し、集塵後の濾紙を移動後、捕集ダスト吸着面２０からの背景の影響を回避し、かつ濾紙送りピッチを少なく設定することができる。
【００３０】
【発明の効果】
本発明は上述のように、ダスト放射線モニタにおける集塵開口部の各側に、円滑なＲ曲面構造の濾紙入口部および濾紙出口部が設けられたため、集塵部上を連続的または間欠的に移動していく濾紙集塵面に近接して置かれたαβ線検出器面の圧力損失を低く保ち、吸引流量の低下と集塵および計測済み濾紙からの背景の影響を回避し、かつ濾紙送りピッチを少なく設定できる。
【図面の簡単な説明】
【図１】本発明に係るダスト放射線モニタの一実施例を示す図。
【図２】図１の実施例における検出器および集塵部を拡大して示す図。
【図３】図２における検出器面および集塵面の遮蔽材の取り付け状態を示す図。
【符号の説明】
１  αβ線検出器
２  集塵部
３  長尺濾紙
４  濾紙送りスプール
５  濾紙巻取りスプール
６  吸引配管
７  流入配管
８  気密容器
９  濾紙送りローラ
１０  濾紙巻取りローラ
１１  検出器ケース
１２  シール部材
１３  検出器支持材
１４  検出器側流路
１５  濾紙集塵面
１６  濾紙入口のＲ曲面構造
１７  濾紙出口のＲ曲面構造
１８  検出器面
１９  遮蔽材
２０  捕集ダスト吸着面
【図１】
2004191280.tif 000003
【図２】
2004191280.tif 000004
【図３】
2004191280.tif 000005